(57)【要約】  【目的】  耐振性が高く、液体浸漬に対して単に初期係止状態を維持できる汎用性の優れた筒状収納部材の閉塞構造を提供する。  【構成】  筒状収納部材１は、下端外周に、上方Ｕに臨む係止段部２ｂを備える係止突部２が形成され、その上方に外周１ｃに間隙Ｅを有し、下方Ｄに向かう規制片部３が形成され、前記規制片部により下方に開口する規制溝４が形成される。筒状閉塞部材５は、合成樹脂材料によって形成され、底部５ａから上方Ｕに向かう挿入片部６には、底部５ａから係止部７に向かう係止孔８と、上端６ａから係止部７に向かう挿入孔９が形成され、係止孔８の上端に係止段部８ａが形成される。筒状収納部材１の係止突部２を、筒状閉塞部材５の係止孔８内に挿入するとともに係止突部２の係止段部２ｂを係止孔８の係止段部８ａに当接して係止する。このとき、筒状閉塞部材５の挿入片部６の上端６ａを筒状収納部材１の規制溝４内に収納配置する。【選択図】  図１１
2007118983.tif 000002
【特許請求の範囲】
【請求項１】
筒状収納部材の開口部に、有底カップ状をなす筒状閉塞部材を係止することによって、筒状収納部材の開口部を閉塞保持する筒状収納部材の閉塞構造において、
筒状収納部材１は、下端１ｂに向けて開口する開口部１ａと、
下端外周にあって、上方Ｕに臨む係止段部２ｂを備える係止突部２と、
係止段部２ｂより上方位置にあって、筒状収納部材１の外周１ｃに対して間隙Ｅを有し、その下端３ａが係止段部２ｂ側の下方Ｄに向かう規制片部３と、
前記外周と規制片部３とによる間隙Ｅにより形成され、下方Ｄに向かって開口する規制溝４と、を備え；
一方、合成樹脂材料によって形成され、有底カップ状をなす筒状閉塞部材５は、底部５ａの外周から上方Ｕに向かって延出する挿入片部６と、
底部５ａから挿入片部６の略中間位置の係止部７に向かい、底部５ａ側の下方Ｄに臨む係止段部８ａが形成される係止孔８と、
挿入片部６の上端６ａから係止部７に向かう挿入孔９と、
を備え；
筒状閉塞部材５の底部５ａを、筒状収納部材１の下端１ｂに臨んで配置するとともに筒状閉塞部材５を筒状収納部材１の外周１ｃに向けて上方挿入配置し、
前記筒状収納部材の係止突部２を、筒状閉塞部材５の係止孔８内に挿入配置するとともに係止突部２の係止段部２ｂを係止孔８の係止段部８ａに当接して係止し、
更に筒状閉塞部材５の挿入片部６の上端６ａを、筒状収納部材１の規制溝４内に臨んで収納配置したことを特徴とする筒状収納部材の閉塞構造。
【請求項２】
前記筒状収納部材に形成される係止突部２の外周形状を、下方Ｄから上方Ｕに向かいその外径Ｃが漸次増加する上向き角度Ｘを有する上向き傾斜壁面２ａとし、
筒状閉塞部材５に形成される係止部７の内周形状を、下方Ｄから上方Ｕに向かいその内径Ｈが漸次増加する前記上向き角度Ｘを有する上向き傾斜壁面７ａとしたことを特徴する請求項１記載の筒状収納部材の閉塞構造。
【請求項３】
前記、筒状収納部材の係止突部２の上向き傾斜壁面２ａに対して、筒状閉塞部材５の係止部７の上向き傾斜壁面７ａが外方に拡開変形することなく当接される筒状閉塞部材５の挿入初期段階において、挿入片部６の上端６ａを筒状収納部材１の規制溝４内に配置したことを特徴とする請求項２記載の筒状収納部材の閉塞構造。
【請求項４】
前記、筒状収納部材に形成される規制片部３を、筒状収納部材１の外周１ｃに対向して一対形成したことを特徴とする請求項１記載の筒状収納部材の閉塞構造。
【請求項５】
前記筒状収納部材を、内部に燃料ポンプＰが収納配置され、燃料タンクＴの開口Ｔａから燃料タンクＴ内へ進入して配置される内燃機関用の燃料ポンプユニット装置を構成するポンプ収納筒体Ｍとし、前記筒状閉塞部材を、燃料タンクＴ内に配置され、前記ポンプ収納筒体内に配置される燃料ポンプＰの下端に臨んで配置されるとともに前記ポンプ収納筒体の下端の開口１ａを閉塞するポンプホルダーＮとしたことを特徴とする請求項１記載の筒状収納部材の閉塞構造。
【発明の詳細な説明】
【技術分野】
【０００１】
本発明は、中空筒状体の内部に燃料ポンプ等の部品が収納配置される筒状収納部材の開口部を、筒状閉塞部材を用いて閉塞し、筒状収納部材の内部に部品を収納する筒状収納部材の閉塞構造に関する。
【背景技術】
【０００２】
従来用いられる筒状収納部材の閉塞構造は、図１３、図１４に示される。
図１３はその側面図であり、図１４は図１３のＡ−Ａ線における縦断面図、である。
６０は、円筒状をなし、下端６０ａをもって開口する筒状収納部材である。
そして、筒状収納部材６０の外周６０ｃの下端の近傍には、係止突部６０ｄが突出して形成されるもので、この係止突部６０ｄは上方Ｕに向かいその外径６０ｅが漸次拡大して傾斜壁面が形成され、その上端には、上方Ｕに臨み平坦状をなす係止段部６０ｆが形成される。
一方、６１は、筒状収納部材６０の下端６０ａの開口部６０ｂを閉塞する有底カップ状をなす筒状閉塞部材であり、底部６１ａの外周から切欠き溝６１ｂにより、両側面が切欠き形成された係止片部６１ｃが上方Ｕに向かって延出して形成される。かかる筒状閉塞部材６１は、係止片部６１ｃが弾性変形できるよう合成樹脂材料によって形成される。
そして、この係止片部６１ｃには、底部６１ａから上方Ｕに向けて係止孔６１ｄが穿設されるもので、更にこの係止孔６１ｄの上方端には平坦状をなす係止段部６１ｅが形成される。
以上によると、係止孔６１ｄより上方の係止片部６１ｃには、係止部６１ｆが形成されるもので、係止部６１ｆの下端に前記係止段部６１ｅが下方Ｄの底部６１ａに臨んで形成されることになる。
尚、係止片部６１ｃ及び切欠き溝６１ｂによって切欠き形成されない、他の筒部の内径は、筒状収納部材６０の外径より、わずかに大径に形成される。
【０００３】
そして、筒状収納部材６０の下端６０ａの開口部６０ｂは、筒状閉塞部材６１により、以下の如く閉塞される。
筒状閉塞部材６１の底部６１ａが筒状収納部材６０の下端６０ａの開口部６０ｂに臨んで配置され、次いで、筒状閉塞部材６１の筒部を含む係止片部６１ｃの内周が、筒状収納部材６０の外周６０ｃに臨んで上方へ挿入される。
上記によると、筒状閉塞部材６１の係止部６１ｆの内周が、筒状収納部材６０の係止突部６０ｄの傾斜壁面に当接しつつ上方Ｕへ移動するもので、これによると係止片部６１ｃは外方に向かって拡開しつつ上方Ｕへ移動し、筒状閉塞部材６１の係止部６１ｆの係止段部６１ｅが、筒状収納部材６０の係止段部６０ｆを乗りこえた状態において、筒状収納部材６０の係止突部６０ｄが係止孔６１ｄ内に進入するとともに筒状閉塞部材６１の係止片部６１ｃは自己の有する弾性復元力によって再び原位置に復帰して係止突部６０ｄによる拡開が解除され、これによって筒状閉塞部材６１の係止段部６１ｅが筒状収納部材６０の係止突部６０ｄの係止段部６０ｆに当接して係止される。
かかる状態が図１３、図１４に示される。
以上によると、筒状閉塞部材６１の下方Ｄへの移動は、係止段部６１ｅと６０ｆとの係止によって阻止され、上方Ｕへの移動は、底部６１ａと下端６０ａによって阻止され、もって筒状収納部材６０の下端６０ａの開口部６０ｂが筒状閉塞部材６１によって閉塞される。
【発明の開示】
【発明が解決しようとする課題】
【０００４】
かかる従来の筒状収納部材の閉塞構造によると、筒状収納部材に形成される係止片部の弾性変動を利用して筒状閉塞部材を筒状収納部材に装着固定するもので、これによると筒状閉塞部材は弾性変形が許容される合成樹脂材料によって形成される。
ここで、かかる合成樹脂材料によって形成される筒状閉塞部材が大なる振動を受けた際において、係止片部が外方に移動し、筒状収納部材の係止段部と筒状閉塞部材の係止段部との引掛りが減少する恐れがある。
又、かかる筒状閉塞部材が液体中に浸漬して配置された際、係止片部の膨潤により上記と同様に各停止段部間における引掛りが減少する恐れがある。
ここで、前記不具合を解消するために、係止片部の肉厚を増加して係止片部の剛性を増すことが考えられるが、これによると、筒状閉塞部材の筒状収納部材に対する装着抵抗が増加し、組付け上好ましいものでない。
一方、係止片部の液体による膨潤を解消するために浸漬される液体に応じて筒状閉塞部材の材料を選定することが考慮されるが、これによると材料違いの筒状閉塞部材を用意する必要があり、単一の筒状閉塞部材を共用して使用することができず汎用性が阻害される。
【０００５】
本発明になる筒状収納部材の閉塞構造は、前記不具合に鑑み成されたもので、その目的とするところは、耐振性が高く、且つ液体浸漬に対して単に初期の係止状態を維持し、長期間に渡って筒状収納部材の開口を安定的に且つ確実に閉塞することのできる汎用性の高い前記固定構造を提供することにある。
【課題を解決するための手段】
【０００６】
本発明になる筒状収納部材の閉塞構造は、前記目的達成のために、筒状収納部材の開口部に、有底カップ状をなす筒状閉塞部材を係止することによって、筒状収納部材の開口部を閉塞保持する筒状収納部材の閉塞構造において、
筒状収納部材は、下端に向けて開口する開口部と、
下端外周にあって、上方に臨む係止段部を備える係止突部と、
係止段部より上方位置にあって、筒状収納部材の外周に対して間隙Ｅを有し、その下端が係止段部側の下方に向かう規制片部と、
前記外周と規制片部とによる間隙により形成され、下方に向かって開口する規制溝と、を備え；
一方、合成樹脂材料によって形成され、有底カップ状をなす筒状閉塞部材は、底部の外周から上方に向かって延出する挿入片部と、
底部から挿入片部の略中間位置の係止部に向かい、底部側の下方Ｄに臨む係止段部が形成される係止孔と、
挿入片部の上端から係止部に向かう挿入孔と、
を備え；
筒状閉塞部材の底部を、筒状収納部材の下端に臨んで配置するとともに筒状閉塞部材を筒状収納部材の外周に向けて上方挿入配置し、
前記筒状収納部材の係止突部を、筒状閉塞部材の係止孔内に挿入配置するとともに係止突部の係止段部を係止孔の係止段部に当接して係止し、
更に筒状閉塞部材の挿入片部の上端を、筒状収納部材の規制溝内に臨んで収納配置したことを第１の特徴とする。
【０００７】
又、本発明は、前記第１の特徴に加え、前記筒状収納部材に形成される係止突部の外周形状を、下方から上方に向かいその外径が漸次増加する上向き角度を有する上向き傾斜壁面とし、
筒状閉塞部材に形成される係止部の内周形状を、下方から上方に向かいその内径が漸次増加する前記上向き角度を有する上向き傾斜壁面としたことを第２の特徴とする。
【０００８】
又、本発明は、前記第２の特徴に加え、前記、筒状収納部材の係止突部の上向き傾斜壁面に対して、筒状閉塞部材の係止部の上向き傾斜壁面が外方に拡開変形することなく当接される筒状閉塞部材の挿入初期段階において、挿入片部の上端を筒状収納部材の規制溝内に配置したことを第３の特徴とする。
【０００９】
更に本発明は、前記第１の特徴に加え、前記、筒状収納部材に形成される規制片部を、筒状収納部材の外周に対向して一対形成したことを第４の特徴とする。
【００１０】
更に又本発明は、前記第１の特徴に加え、前記筒状収納部材を、内部に燃料ポンプＰが収納配置され、燃料タンクの開口から燃料タンク内へ進入して配置される内燃機関用の燃料ポンプユニット装置を構成するポンプ収納筒体とし、
前記筒状閉塞部材を、燃料タンク内に配置され、前記ポンプ収納筒体内に配置される燃料ポンプの下端に臨んで配置されるとともに前記ポンプ収納筒体の下端の開口を閉塞するポンプホルダーとしたことを第５の特徴とする。
【発明の効果】
【００１１】
本発明の第１の特徴によると、筒状閉塞部材が筒状収納部材の下端の開口部を閉塞して筒状収納部材に固定された状態において、筒状収納部材の係止突部は筒状閉塞部材の係止孔内に挿入配置され、筒状収納部材の係止突部の係止段部と、筒状閉塞部材の係止部の係止段部が当接して係止され、更に筒状閉塞部材の挿入片部が筒状収納部材の規制溝内に挿入して配置される。
以上によると、筒状閉塞部材が大なる振動を受け、その慣性力によって挿入片部が外方へ拡開しようとした際、挿入片部の外方への移動は筒状収納部材にあって規制溝を形成する規制片部に当接して阻止されるので両係止段部による引掛りが減少することなく、初期に設定された良好な係止状態を維持できる。
又、かかる筒状閉塞部材が液体中に浸漬され、挿入片部が膨潤して外方へ拡開しようとした際にあっても規制片部によってその外方への拡開が阻止されるので筒状閉塞部材を構成する合成樹脂材料をいちいち選択することなく、いかなる液体浸漬状態にあっても初期の良好な係止状態を維持できる。
すなわち、耐振性及び液体浸漬性の優れた閉塞構造を提供できる。
又、本発明によれば、係止部を備える挿入片部の剛性を高める必要がないので、筒状閉塞部材の筒状収納部材に対する装着性が阻害されることがなく、特別な組付け冶具を必要とせず、良好な組付性を維持できる。
更に部品点数は、従来と同様に、筒状収納部材と筒状閉塞部材の２部品が用意されればよいので、部品点数の増加が抑止されて部品コストの上昇及び組立て工数の増加を抑止できる。
【００１２】
又、本発明の第２の特徴によると、筒状収納部材の係止突部の外周形状を上向き角度を有する上向き傾斜壁面に形成し、一方、筒状閉塞部材の係止部の内周形状を前記上向き角度を有する上向き傾斜壁面として形成したので、筒状閉塞部材の筒状収納部材に対する初期挿入段階において、筒状閉塞部材の挿入片部に対する拡開方向の力が作用することがない。すなわち筒状閉塞部材の挿入抵抗がない。
以上によると、筒状閉塞部材の初期挿入段階において、筒状閉塞部材の係止部を熟練を要することなく正確に筒状収納部材の係止突部上に配置することができ、筒状閉塞部材の係止部を、筒状収納部材の係止突部上に沿って正確に挿入でき、その後、これによって挿入片部を無理なく安定して拡開できる。
【００１３】
本発明の第３の特徴によると、筒状収納部材の係止突部の上向き傾斜壁面に対して、筒状閉塞部材の係止部の上向き傾斜壁面が外方に拡開変形することなく当接される筒状閉塞部材の挿入初期において、挿入片部の上端が筒状収納部材の規制溝内に配置されるので、以後の筒状閉塞部材の上動時において挿入片部が外側方に拡開されても、挿入片部が規制溝より脱出することがなく挿入片部を確実に規制溝内に収納保持できる。
【００１４】
又、本発明の第４の特徴によると、筒状収納部材に形成される規制片部が筒状収納部材の外周に、対向して一対形成されるので、筒状収納部材をアルミニウム、合成樹脂材料を用いて射出成形する際、前記規制片部を容易に鋳抜き形成することができ、かかる規制片部を備える筒状収納部材を安価に製造することができる。
【００１５】
更に本発明の第５の特徴によると、内燃機関へ燃料を供給する燃料ポンプユニット装置の、ポンプ収納体として筒状収納部材が用いられ、ポンプ収納体の下端開口を閉塞するポンプホルダーとして筒状閉塞部材が用いられたので、かかる筒状収納部材、筒状閉塞部材により構成される燃料ポンプユニット装置を燃料タンク内に吊り下げ配置した際、燃料タンク内に貯溜されるガソリンによって挿入片部が膨潤して挿入片部を規制溝内に確実に配置でき、筒状収納部材、筒状閉塞部材の各係止段部の引掛りが減少することがなく、又、機関の運転中において大なる振動が、燃料ポンプユニット装置を構成する筒状閉塞部材に作用した際にあっても挿入片部を規制溝内に確実に配置でき、各係止段部の引掛りが減少することがない。
而して、特に燃料としてガソリンが用いられ、機関の運転中において大なる振動の発生する自動車、オートバイに用いられる燃料ポンプユニットに採用して好適である。
【発明を実施するための最良の形態】
【００１６】
以下、本発明になる筒状収納部材の閉塞構造の一実施例について図により説明する。
図１は本発明を構成する筒状収納部材の側面図。図２は図１のＢ−Ｂ線における縦断面図。図３は図１の下方平面図である。
筒状収納部材１は以下によって構成される。（尚、以後の説明において単に収納部材という）
筒状収納部材１は、好ましくは円筒状をなし、内部を上下方向に貫通する孔の開口部１ａが下端１ｂに開口する。
２は、下端１ｂの近傍の外周１ｃに突出して形成された係止突部であり、係止突部２は、下方Ｄから上方Ｕに向けてその外径Ｃが漸次上向き角度Ｘをもって拡大する傾斜壁面２ａを備え、傾斜壁面２ａの上端には上方Ｕに臨み、平坦状をなす係止段部２ｂが形成される。
かかる係止突部２は外周１ｃに複数設けられるもので、本例では対向して一対（２個）設けられた。
３は収納部材１の外周１ｃに間隙Ｅをもって形成されるとともに係止段部２ｂの上方にあって且つ係止突部２に臨んで形成される規制片部であり、その下端３ａは係止突部２に臨んで開口する。
而して、収納部材１の外周１ｃと規制片部３の内周との間には間隙Ｅを有する規制溝４が形成されるもので、この規制溝４は少なくとも係止突部２に臨み、規制片部３の下端３ａに開口する。
又、規制片部３の幅Ｗは係止突部２の幅Ｆより大きく形成される。
かかる規制片部３は係止突部２に対応して形成されるもので、本実施例にあっては対向して一対形成された。
【００１７】
５は筒状閉塞部材であって以下により形成される。（以後の説明において単に閉塞部材という）。
図４は閉塞部材の側面図。図５は図３のＧ−Ｇ線における縦断面図。である。
閉塞部材５は底部５ａを有する有底カップ状をなし、底部５ａより上方Ｕに向けて挿入片部６が延出して形成されるもので、挿入片部６の両側は切欠き溝５ｂをもって切欠き形成され、底部５ａにより片持ち形成される。
そして、挿入片部６には、底部５ａから中間の係止部７に向けて収納部材１の係止突部２を挿入しうる係止孔８が穿設され、係止孔８の上端には底部５ａに臨み平坦状をなす係止段部８ａが形成される。
又、挿入片部６の上端６ａから係止部７に向けて挿入孔９が穿設されるもので、挿入孔９は収納部材１の係止突部２を挿入しうる孔形状をなす。
かかる挿入片部６は、収納部材１の係止突部２に対応して配置されるもので、本例にあっては対向して一対形成された。
又、閉塞部材５の挿入片部６は弾性変形することが要求されるもので、この為に閉塞部材はＰＡ６６等の合成樹脂材料によって形成される。
更に係止部７の内周面には、収納部材１の係止突部２の傾斜壁面２ａと略同一の上向き角度Ｘをなす傾斜壁面７ａが形成される。
具体的に、この傾斜壁面７ａの内径Ｈは下方Ｄから上方Ｕに向かい、その内径Ｈが、収納部材１の係止突部２の傾斜壁面２ａの外径Ｃと略同寸法で漸次増加して形成される。
【００１８】
そして、収納部材１の下方の開口部１ａは、閉塞部材５によって以下の如く閉塞されて固着される。
図６、図７は閉塞部材５の初期挿入状態を示すもので、図６は前記初期状態における側面図、図７は図６のＹ−Ｙ線における縦断面図である。
閉塞部材５の底部５ａが収納部材１の下端１ｂの開口部１ａに臨んで配置され、かかる状態において閉塞部材５が上方Ｕに向けて挿入される。
以上によると、閉塞部材５は挿入片部６に穿設された挿入孔９内に、収納部材１の係止突部２が進入するとともに収納部材１の係止突部２の外周に形成される傾斜壁面２ａに、閉塞部材５の係止部７の内周に形成される傾斜壁面７ａが当接して配置される。このとき、収納部材１の係止突部２の傾斜壁面２ａの上向き角度Ｘと、閉塞部材５の係止部７の傾斜壁面７ａの上向き角度Ｘが同一角度Ｘに形成されることにより挿入片部６を含む係止部７が外方に拡開することがない。
一方、かかる初期挿入状態において、閉塞部材５の挿入片部６の上端６ａは規制溝４内に進入配置されるもので、前述の如く挿入片部６を含む係止部７が外方に拡開することがないので、挿入片部６を正確に規制溝４内に配置できる。
又、前記によれば、かかる初期挿入状態において、閉塞部材５の係止部７に対して、収納部材１の係止突部２により外方への押圧力が作用しないので、閉塞部材５を収納部材１に対して挿入抵抗なく、円滑に挿入できるとともに係止部７を係止突部２上に向けて確実に配置できる。
【００１９】
次に前記閉塞部材の初期挿入状態より、更に閉塞部材５が上方に挿入される閉塞部材５の中期挿入状態につき図８、図９により説明する。
図８は、中期挿入状態における側面図。図９は図８のＪ−Ｊ線における縦断面図。である。
かかる閉塞部材５の中期挿入状態において、閉塞部材５の係止部７の傾斜壁面７ａは、収納部材１の係止突部２の傾斜壁面２ａに当接しつつ上動するもので、係止部７は、係止突部２により外側方に向けて拡開される。
上記の如く、係止部７が外側方に拡開されるのは、係止部７が底部５ａに片持ち支持される挿入片部６に形成されたこと。及び閉塞部材５が合成樹脂材料によって形成されたこと。による。
一方、挿入片部６にあっても、前記係止部７の拡開により、外側方に向かって拡開せんとするものであるが、前記閉塞部材の初期挿入状態において、すでに挿入片部６の上端６ａが規制溝４内に進入して配置されるので、挿入片部６が規制溝４より脱出することがなく、規制溝４内に安定して確実に配置される。
【００２０】
次に、前記閉塞部材の中期挿入状態より、更に閉塞部材５が上方に挿入される閉塞部材５の終期挿入状態につき、図１０、図１１により説明する。
図１０は、終期挿入状態における側面図。図１１は図１０のＫ−Ｋ線における縦断面図である。
かかる閉塞部材５の終期挿入状態において、閉塞部材５の係止部７の係止段部８ａ（いいかえると係止部７の下端）は、収納部材１の係止突部２の係止段部２ｂ（いいかえると係止突部２の上端）に当接した状態において、もっとも大きく外側方に拡開し、次いで、係止段部８ａが係止段部２ｂを乗りこえた状態で、係止部７は拡開力が除去され、挿入片部６の弾性力によって再び原位置に復帰し、これによって閉塞部材５の係止段部８ａと収納部材１の係止段部２ｂとが面接触して係止される。
一方、かかる状態において、収納部材１の係止突部２は、閉塞部材５の係止孔８内に進入して配置され、挿入片部６は依然として規制溝４内に進入して配置される。
而して、収納部材１の下端１ｂの開口部１ａは、係止段部２ｂ、８ａをもって収納部材１に係止される閉塞部材５によって閉塞され、収納部材１の開口部１ａの閉塞が完了する。
【００２１】
以上によると、閉塞部材５の下方向Ｄにおける脱出は、係止部７の係止段部８ａが収納部材１の係止突部２の係止段部２ｂに当接して係止されることにより抑止され、一方閉塞部材５の上方向Ｕにおける移動は、閉塞部材５の底部５ａが収納部材１の下端１ｂに当接すること。あるいは挿入片部６の上端６ａが規制溝４の上底部４ａに当接すること。によって阻止される。
【００２２】
ここで、閉塞部材５（収納部材１を含む）に大なる振動が加わった際、係止部７を含む閉塞部材５の挿入片部６は、その慣性力を受けて、側方へ振れることがあるが、本発明によれば挿入片部６の上端６ａを含む上方が規制溝４内に進入して配置され、その側方移動が規制片部３によって阻止されるので、閉塞部材５の係止段部８ａと、収納部材１の係止段部２ｂとの引掛りが減少することがなく、初期の引掛り状態を良好に維持することができ、安定して且つ確実に閉塞部材５を収納部材１に固定できる。
又、係止部７の剛性を上げる必要がないことから閉塞部材５の収納部材１に対する装着作業を極めて容易に行なうことができ、更には係止段部の引掛りを維持する為の新たな部材を必要とするものでない。
又、閉塞部材５（収納部材１を含む）が液体中に浸漬配置された際、合成樹脂材料によって形成される閉塞部材５の挿入片部６が膨潤して外側方に拡開することがあるが、かかる状態にあっても挿入片部６の上端６ａを含む上方が規制溝４内に進入して配置され、その側方移動が規制溝３によって阻止されるので、前記と同様に係止段部８ａと係止段部２ｂとの引掛りが減少することがなく、良好にして且つ確実に閉塞部材５を収納部材１に固定できる。
而して、浸漬される液体に応じて閉塞部材５を構成する合成樹脂材料の選定を行なう必要がなく、単一の閉塞部材を多種類の収納部材に使用することができ、閉塞部材の汎用性を向上できるので、その製造コスト、管理コストを大きく低減できる。
【００２３】
又、収納部材１の係止突部２の傾斜壁面２ａの外周形状を、下方Ｄから上方Ｕに向かい外径Ｃが上向き角度Ｘをもって漸次増加する上向き傾斜壁面とし、一方、閉塞部材５の係止部７の内周形状を、前記上向き角度Ｘと同一角度Ｘをなし、下方Ｄから上方Ｕに向かいその内径Ｈが漸次増加する上向き傾斜壁面としたことにより、閉塞部材５の収納部材１に対する初期挿入状態において、閉塞部材５の係止部７に対して収納部材１の係止突部２による押圧力が作用することがないので、閉塞部材５の収納部材１に対する挿入が極めて容易で且つ係止部７を係止突部２に正確に配置できる。
又、前記閉塞部材５の初期挿入状態において、挿入片部６の上端６ａを規制溝４内に挿入配置したことによると、以後の閉塞部材５の中期挿入状態、終期挿入状態において確実に挿入片部６を規制溝４内に進入配置することができ、これによってかかる作業に特別な冶具、熟練を必要としないもので取付け作業性を大きく向上できる。
【００２４】
又、収納部材１に形成される係止突部２は、その全周方向において２個、３個、４個と所望に応じて複数形成されるものであるが、規制溝４を形成する規制片部３を、収納部材１の外周に対向して一対形成すると、かかる規制片部３を含む収納部材１の材料としてアルミニウムダイカスト合金、あるいは合成樹脂材料を用いて、射出成形する際において、鋳抜き一体形成できる。
すなわち再び図３によって説明すると、鋳抜きのための左右の金型の型割り面をＬ−Ｌ線に形成すれば、左右の金型を側方へ移動することにより前記規制溝を含む規制片部３を収納部材１に鋳抜き形成でき、もって規制溝４を備える収納部材１を安価に製作できる。尚、規制片部３が少なくとも対向して一対形成されれば、閉塞部材５の挿入片部６の拡開を充分阻止できる。
【産業上の利用可能性】
【００２５】
かかる収納部材の閉塞構造は、燃料ポンプユニット装置に利用できる。
すなわち、燃料ポンプユニット装置Ｓは内部に燃料ポンプＰが収納配置されるポンプ収納筒体Ｍと、燃料ポンプＰの下端に臨み、ポンプ収納筒体Ｍの下端の開口を閉塞する合成樹脂材料よりなるポンプホルダーＮとにより構成され、かかる燃料ポンプユニット装置Ｓが燃料タンクＴの開口７ａより燃料タンクＴ内に進入配置される。
而して燃料ポンプＰが駆動すると、燃料タンクＴ内に貯溜されるガソリン燃料は、燃料ポンプＰによって昇圧され、燃料吐出路Ｒを介して図示せぬ機関へと供給され、機関の運転が行なわれる。
ここで、ポンプ収納体Ｍの下端に、図２に示される本発明の収納部材１の係止突部２、規制溝４を含む規制片部３が形成される。又、ポンプホルダーＮには図２に示される閉塞部材５の係止孔８、係止部７、挿入片部６が形成される。
すなわち、ポンプ収納筒体Ｍは、本発明の収納部材１が利用され、ポンプホルダーＮは本発明の閉塞部材５が利用される。
かかる構成をなす燃料ポンプユニット装置Ｓは自動車及び二輪車に搭載されて使用されるもので、これによると機関の運転中においてポンプ収納筒体Ｍ、ポンプホルダーＮには大なる振動が加わるものであるが、前述の如く挿入片部６が規制溝４内に進入配置されることからポンプホルダーＮがポンプ収納筒体Ｍより脱落することがない。
又、合成樹脂材料によって形成されたポンプホルダーＮは常時燃料タンクＴ内のガソリン燃料中に浸漬配置されるものでポンプホルダーＮの係止部７が膨潤によって外側方に拡開せんとした場合にあっても、挿入片部６が常時規制溝４内に進入して配置されるので、ポンプホルダーＮがポンプ収納筒体Ｍより脱落することがない。
上記の如く、本発明の収納部材１、閉塞部材５を燃料ポンプユニット装置のポンプ収納体Ｍ、ポンプホルダーＮに利用することにより、特に耐振性が高く、且つ燃料による耐膨潤性の高い燃料ポンプユニット装置を提供できる。
【００２６】
尚、本実施例の収納部材１は金属材料によって示されるが、合成樹脂材料を用いることができる。
【図面の簡単な説明】
【００２７】
【図１】本発明の筒状収納部材の閉塞構造に用いられる筒状収納部材の側面図。
【図２】図１のＢ−Ｂ線における縦断面図。
【図３】図１の下方よりみた下側平面図。
【図４】本発明の筒状収納部材の閉塞構造に用いられる筒状閉塞部材の側面図。
【図５】図４のＧ−Ｇ線における縦断面図。
【図６】本発明の筒状収納部材の閉塞構造における筒状閉塞部材の初期挿入状態を示す側面図。
【図７】図６のＹ−Ｙ線における縦断面図。
【図８】本発明の筒状収納部材の閉塞構造における筒状閉塞部材の中期挿入状態を示す側面図。
【図９】図８のＪ−Ｊ線における縦断面図。
【図１０】本発明の筒状収納部材の閉塞構造における筒状閉塞部材の終期挿入状態を示す側面図。
【図１１】図１０のＫ−Ｋ線における縦断面図。
【図１２】本発明の筒状収納部材の閉塞構造を燃料ポンプユニット装置に用いた要部縦断面図。
【図１３】従来の筒状収納部材の閉塞構造を示す側面図。
【図１４】図１３のＡ−Ａ線における縦断面図。
【符号の説明】
【００２８】
１      筒状収納部材
１ａ    開口部
１ｂ    下端
２      係止突部
２ｂ    係止段部
３      規制片部
４      規制溝
５      筒状閉塞部材
５ａ    底部
６      挿入片部
６ａ    上端
７      係止部
８      係止孔
８ａ    係止段部
９      挿入孔
【図１】
2007118983.tif 000003
【図２】
2007118983.tif 000004
【図３】
2007118983.tif 000005
【図４】
2007118983.tif 000006
【図５】
2007118983.tif 000007
【図６】
2007118983.tif 000008
【図７】
2007118983.tif 000009
【図８】
2007118983.tif 000010
【図９】
2007118983.tif 000011
【図１０】
2007118983.tif 000012
【図１１】
2007118983.tif 000013
【図１２】
2007118983.tif 000014
【図１３】
2007118983.tif 000015
【図１４】
2007118983.tif 000016